(57)【要約】      （修正有）【課題】フィルタインダクタ及び整流ダイオードを備え、ＬＥＤランプで使用するのに適した高電圧又は低電圧定電流の直流電源を出力するＬＥＤランプの蛍光灯を提供する。【解決手段】ＬＥＤランプの蛍光灯は、少なくとも１つのＬＥＤランプ１と、ランプホルダ２とを備え、ＬＥＤランプ１は、管体１１を有する。管体の両側には、端子１２が設けられる。管体内には、端子１２と接続される基板１３が配設される。基板１３には、複数のＬＥＤ１４が設けられ、端子１２とＬＥＤ１４とが接続される回路間に整流ダイオード１５が取り付けられる。ランプホルダ２は、ランプホルダ本体２１を有する。ランプホルダ本体の両側には、少なくとも１つの端子組立部２２が設けられ、端子組立部は互いに対をなして１組を構成する。端子組立部に基板２３がそれぞれ接続され、基板２３には、フィルタインダクタ２４が取り付けられる。【選択図】図１
0003189406.tif 000002
【実用新案登録請求の範囲】
【請求項１】
少なくとも１つのＬＥＤランプ１と、ランプホルダ２と、を備えたＬＥＤランプの蛍光灯であって、
前記ＬＥＤランプ１は、管体１１を有し、前記管体１１の両側には、端子１２が設けられ、前記管体１１内には、前記管体１１の両側に設けられた前記端子１２と接続される基板１３が配設され、前記基板１３には、複数のＬＥＤ１４が設けられ、前記基板１３の前記端子１２と前記ＬＥＤ１４とが接続される回路間に整流ダイオード１５が取り付けられ、
前記ランプホルダ２は、ランプホルダ本体２１を有し、前記ランプホルダ本体２１の両側には、少なくとも１つの端子組立部２２が設けられ、前記ランプホルダ本体２１の両側に設けられた端子組立部２２は互いに対をなして１組を構成し、前記互いに対をなす２つの端子組立部２２に、前記ＬＥＤランプ１の両側に位置する端子１２を対応させて挿設させると、前記ランプホルダ本体２１上の前記１組の端子組立部２２に基板２３がそれぞれ接続され、前記基板２３が前記ランプホルダ本体２１内に設置され、前記１組の端子組立部２２の前記基板２３には、フィルタインダクタ２４がそれぞれ取り付けられることを特徴とする、
ＬＥＤランプの蛍光灯。
【請求項２】
前記フィルタインダクタ２４は、電磁鋼片のインダクタ本体２４１と、前記インダクタ本体２４１に巻き付けられたコイル２４２とから構成され、前記インダクタ本体２４１には、前記ランプホルダ２の前記基板２３に挿着するピン２４３が取り付けられていることを特徴とする請求項１に記載のＬＥＤランプの蛍光灯。
【請求項３】
前記ランプホルダ２の前記ランプホルダ本体２１内の前記基板２３上には、ソケット２５が挿着され、前記ソケット２５上には、前記フィルタインダクタ２４それぞれが挿設されることを特徴とする請求項２に記載のＬＥＤランプの蛍光灯。
【考案の詳細な説明】
【技術分野】
【０００１】
本考案は、ＬＥＤランプの蛍光灯に関し、特に、フィルタインダクタ及び整流ダイオードを備え、ＬＥＤランプで使用するのに適した高電圧又は低電圧定電流の直流電源を出力するＬＥＤランプの蛍光灯に関する。
【背景技術】
【０００２】
従来のＬＥＤランプは、１２００〜１２１０ｍｍ又は５８８〜５９０ｍｍの長さを有し、内部に電子変圧器が取り付けられ、低電圧の直流電源だけに適用するが、安定器及びアクチュエータを介して出力する電源が何百ボルト以上の高電圧電源であるため、ユーザがＬＥＤランプを蛍光灯用ランプへ直接取り付けると、高い電圧電源によりＬＥＤランプが焼損してしまう虞があった。
従来のＬＥＤランプは、照明器具に取り付ける前に、まず、安定器及びアクチュエータと、照明器具とを繋ぐ電線を切断してから、商用電源の交流電源の電線を繋がなければＬＥＤランプを照明器具へ取り付けることができなかったが、配線技術に詳しくない一般の使用者にとって非常に不便であった。また、安定器及びアクチュエータを介さずに、放熱アルミ管内に電子変圧器が設置されたＬＥＤランプも従来技術にあったが、その場合、アルミ管内の温度が非常に高くなって電子変圧器が故障し、使用寿命が短くなって廃棄物が増え、環境を汚染させる虞があった。
【０００３】
従来の安定器及びアクチュエータを取り付ける蛍光灯の照明器具は、ＬＥＤランプの使用に適合しない上、多くの電子部品で構成された電子変圧器を使用するため、コスト及び価格が高価である。また、作動により多くの廃熱が発生するため、従来の電子変圧器を使用すると高温となって焼損してしまう虞がある。さらに、電子変圧器を構成する多くの電子部品中に環境を汚染させる毒性の重金属が多く含まれているため、廃棄する際の処理が不十分だと環境を汚染してしまうこともある。
【考案の概要】
【考案が解決しようとする課題】
【０００４】
本考案の目的は、フィルタインダクタ及び整流ダイオードを備え、ＬＥＤランプで使用するのに適した高電圧又は低電圧定電流の直流電源を出力するＬＥＤランプの蛍光灯を提供することにある。
【課題を解決するための手段】
【０００５】
上記課題を解決するための、本考案の第１の形態によれば、少なくとも１つのＬＥＤランプ１と、ランプホルダ２と、を備えたＬＥＤランプの蛍光灯であって、前記ＬＥＤランプ１は、管体１１を有し、前記管体１１の両側には、端子１２が設けられ、前記管体１１内には、前記管体１１の両側に設けられた前記端子１２と接続される基板１３が配設され、前記基板１３には、複数のＬＥＤ１４が設けられ、前記基板１３の前記端子１２と前記ＬＥＤ１４とが接続される回路間に整流ダイオード１５が取り付けられ、前記ランプホルダ２は、ランプホルダ本体２１を有し、前記ランプホルダ本体２１の両側には、少なくとも１つの端子組立部２２が設けられ、前記ランプホルダ本体２１の両側に設けられた端子組立部２２は互いに対をなして１組を構成し、前記互いに対をなす２つの端子組立部２２に、前記ＬＥＤランプ１の両側に位置する端子１２を対応させて挿設させると、前記ランプホルダ本体２１上の前記１組の端子組立部２２に基板２３がそれぞれ接続され、前記基板２３が前記ランプホルダ本体２１内に設置され、前記１組の端子組立部２２の前記基板２３には、フィルタインダクタ２４がそれぞれ取り付けられることを特徴とするＬＥＤランプの蛍光灯が提供される。
【０００６】
前記フィルタインダクタ２４は、電磁鋼片のインダクタ本体２４１と、前記インダクタ本体２４１に巻き付けられたコイル２４２とから構成され、前記インダクタ本体２４１には、前記ランプホルダ２の前記基板２３が挿着されるピン２４３が取り付けられていることが好ましい。
【０００７】
前記ランプホルダ２の前記ランプホルダ本体内の前記基板２３上には、ソケット２５が挿着され、前記ソケット２５上には、前記フィルタインダクタ２４それぞれが挿設されることが好ましい。
【図面の簡単な説明】
【０００８】
【図１】本考案の一実施形態に係るＬＥＤランプの蛍光灯を示す斜視図である。
【図２】本考案の一実施形態に係るＬＥＤランプの蛍光灯を示す部分拡大図である。
【図３】本考案の一実施形態に係るフィルタインダクタを示す斜視図である。
【図４】本考案の他の実施形態に係るＬＥＤランプの蛍光灯を示す斜視図である。
【図５】本考案の他の実施形態に係るＬＥＤランプの蛍光灯を示す部分拡大図である。
【考案を実施するための形態】
【０００９】
以下、本考案の実施形態について図に基づいて説明する。なお、これによって本考案が限定されるものではない。
【００１０】
図１及び図２を参照する。図１及び図２に示すように、本考案の一実施形態に係るＬＥＤランプの蛍光灯は、少なくとも１つのＬＥＤランプ１と、ランプホルダ２と、を備える。
【００１１】
ＬＥＤランプ１は、管体１１を有する。管体１１は、１２００〜１２１０ｍｍ又は５８８〜５９０ｍｍの長さを有し、両側に端子１２が設けられる。管体１１内には、管体１１の両側に設けられた端子１２と接続される基板１３が設けられる。基板１３には、複数のＬＥＤ１４が設けられ、基板１３の端子１２とＬＥＤ１４とが接続される回路間に整流ダイオード１５が取り付けられ、ＬＥＤランプ１には電子変圧器が設けられていない。
【００１２】
ランプホルダ２は、ランプホルダ本体２１を有する。ランプホルダ本体２１の両側には、少なくとも１つの端子組立部２２が設けられる。ランプホルダ本体２１の両側に設けられた端子組立部２２は互いに対をなして１組を構成し、互いに対をなす２つの端子組立部２２に、ＬＥＤランプ１の両側に位置する端子１２を対応させて挿設させると、ランプホルダ本体２１上の１組の端子組立部２２に基板２３がそれぞれ接続される。
基板２３がランプホルダ本体２１内に設置され、１組の端子組立部２２の基板２３には、フィルタインダクタ２４がそれぞれ取り付けられる。
図３を併せて参照する。フィルタインダクタ２４は、電磁鋼片のインダクタ本体２４１と、インダクタ本体２４１に巻き付けられた銅製コイル２４２とから構成される。インダクタ本体２４１には、基板２３が挿着されるピン２４３が取り付けられている。
【００１３】
図１に示すように、実際に使用する際、ＬＥＤランプ１がランプホルダ２に取り付けられ、ランプホルダ本体２１上の端子組立部２２間にＬＥＤランプ１を取り付けてから、ＬＥＤランプ１の両側に設けられた端子１２を端子組立部２２へそれぞれ挿着させると、ＬＥＤランプ１の両側の端子１２及びランプホルダ２が２つの端子組立部２２に取り付けられ、ランプホルダ２のフィルタインダクタ２４と接続される。
【００１４】
ユーザが商用電源をオンしてＬＥＤランプ１を発光させる際、電源線を介して接続されたランプホルダ２の基板２３へ商用電源が供給され、基板２３が接続されたフィルタインダクタ２４及び端子組立部２２の流路を介し、端子組立部２２と接続されたＬＥＤランプ１の端子１２へ流れ、電源がＬＥＤランプ１の端子１２から、整流ダイオード１５を介してＬＥＤ１４へ流れると、ＬＥＤ１４が導電されて発光する。
【００１５】
商用電源がランプホルダ２のフィルタインダクタ２４に供給されると、フィルタインダクタ２４により商用電源の電圧を上昇又は下降させて定電流及び周波数フィルタ作用を得て、ＬＥＤランプ１に供給される電源を高電圧又は低電圧定電流状態へ変換し、高電圧又は低電圧定電流の電源がＬＥＤランプ１の整流ダイオード１５に供給され、整流ダイオード１５により商用電源の交流電源を直流電源へ変換してＬＥＤ１４で使用する。
このように、フィルタインダクタ２４の上昇又は下降電圧定電流及び周波数フィルタの作用と、整流ダイオード１５の交直流変換作用を得た後、ＬＥＤ１４の使用に適した高電圧又は低電圧定電流の直流電を出力する電源方式が形成され、ＬＥＤランプ１のＬＥＤ１４の発光に用いる電気効率を高めるとともに、ＬＥＤの発熱温度を下げてＬＥＤランプ１の使用寿命が延びる。
【００１６】
本考案の一実施形態に係るＬＥＤランプの蛍光灯は、従来の蛍光灯の安定器及びアクチュエータの代わりにフィルタインダクタ２４を使用する。フィルタインダクタ２４は、効果的に商用電源をＬＥＤ１４の使用に適した高電圧又は低電圧定電流の電源へ変換し、ＬＥＤ１４の発光用電効率を高めることができる。
さらに、その構造が簡素であるため、コスト及び価格が相対的に安くなるとともに、作動するときに発生する廃熱が大幅に減り、損壊率を下げることができる。
また、その構造は簡素で、主に電磁鋼片からなるインダクタ本体２４１及び銅製コイル２４２により構成されるため、廃棄処理するときに環境を汚染させることがなく、実質上、廃棄物の量を減らして環境汚染を防ぐことができる。
【００１７】
図４及び図５を参照する。図４及び図５に示すように、本考案の一実施形態に係るＬＥＤランプの蛍光灯は、フィルタインダクタ２４を有し、ピン２４３をランプホルダ２内の各基板２３上に設けたソケット２５上へ直接挿着し、フィルタインダクタ２４を基板２３及び端子組立部２２に接続させ、フィルタインダクタ２４を組み立てる際の利便性が高まる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１      ＬＥＤランプ
２      ランプホルダ
１１    管体
１２    端子
１３    基板
１４    ＬＥＤ
１５    整流ダイオード
２１    ランプホルダ本体
２２    端子組立部
２３    基板
２４    フィルタインダクタ
２５    ソケット
２４１  インダクタ本体
２４２  コイル
２４３  ピン
【図１】
0003189406.tif 000003
【図２】
0003189406.tif 000004
【図３】
0003189406.tif 000005
【図４】
0003189406.tif 000006
【図５】
0003189406.tif 000007